(57)【要約】【課題】  センサが人物を検知したとき、部屋の照明装置を点灯させたりすることで、留守の場合でも在宅しているかのように見せることができるインターホンシステムを提供する。【解決手段】  居室親機２は、照明装置をオン／オフ制御するホームコントローラＩＦ１８、電気錠を施錠／解錠制御する電気錠コントローラＩＦ１９、防犯センサ９を警戒設定する防犯センサＩＦ２０から成る制御信号出力手段を有している。親機ＣＰＵ１２は、玄関子機或いはセンサカメラのセンサが人物を検知したら、各制御信号出力手段から制御信号を出力し、照明装置をメモリ１４に記憶した順番に従ってオン／オフ制御し、施錠操作し、更に防犯センサを警戒状態に設定する。【選択図】  図２
2006238096.tif 000002
【特許請求の範囲】
【請求項１】
来訪者が居住者を呼び出すための玄関子機と、来訪者の呼び出しに応答するための居室親機と、人物を検知して前記居室親機に通知するセンサとを有するインターホンシステムにおいて、
前記居室親機は、電気機器をオン／オフ制御するための制御信号出力手段、及び前記センサが人物を検知したら、前記制御信号出力手段に接続された電気機器のオン／オフ制御を実施するオン／オフ制御手段を有することを特徴とするインターホンシステム。
【請求項２】
前記制御信号出力手段に接続された電気機器が複数の照明装置を含み、前記居室親機は、前記センサが人物を検知したら予め選択した照明装置を点灯制御するためのメモリを備えたことを特徴とする請求項１記載のインターホンシステム。
【請求項３】
前記制御信号出力手段に接続された電気機器が複数の照明装置を含み、前記居室親機は、前記センサが人物を検知したら予め選択した照明装置を所定時間間隔で順次点灯制御するためのメモリを備えたことを特徴とする請求項１記載のインターホンシステム。
【請求項４】
前記制御信号出力手段に接続された電気機器が電気錠付ドアを含み、前記オン／オフ制御手段は、前記センサが人物を検知したら前記電気錠の施錠制御を行うことを特徴とする請求項１乃至３の何れかに記載のインターホンシステム。
【請求項５】
前記制御信号出力手段に接続された電気機器が防犯センサを含み、前記オン／オフ制御手段は、前記センサが人物を検知したら前記防犯センサを監視状態とする制御を行うことを特徴とする請求項１乃至４の何れかに記載のインターホンシステム。
【請求項６】
前記オン／オフ制御手段による電気機器のオン／オフ制御は、前記居室親機が警戒状態に動作設定されたときに実施するものであって、
前記警戒状態は、前記居室親機の操作により設定されるか、予め設定された時間帯において自動設定されることを特徴とする請求項１乃至５の何れかに記載のインターホンシステム。
【請求項７】
前記オン／オフ制御手段は、前記センサが人物を検知したことにより前記電気機器をオン制御したら、所定時間経過後にオフ状態に戻す制御を行うことを特徴とする請求項１乃至６の何れかに記載のインターホンシステム。
【発明の詳細な説明】
【技術分野】
【０００１】
本発明は、インターホンシステムに係り、特に不審者に対するセキュリティ性を向上させたインターホンシステムに関する。
【背景技術】
【０００２】
不審者に対するセキュリティ性を向上させたインターホンシステムとして、例えば特許文献１に記載された構成のものがある。これは、玄関先等に人感センサを設置して、不審者が現れたら玄関子機のスピーカや居室親機のスピーカから警告音声を出力して、不審者に対して警告したり、居住者に対して不審者が現れたことを知らせるようにしている。また、玄関子機にカメラを備えたものは、カメラを作動させて撮像した不審者を居室親機のモニタに出画するようにしている。
【特許文献１】特開２００３−１９８７４１号公報
【発明の開示】
【発明が解決しようとする課題】
【０００３】
しかしながら、上記従来例のインターホンシステムにおいては、不審者が現れたら玄関子機から威嚇音を報音したり、不審者を居室親機に出画したりすることでセキュリティ性を向上させることができるが、居住者が不在の場合、特に夜間などは部屋が暗くなるため、警報音が鳴っても不在であることが容易に認識できてしまう問題があった。また、不審者が玄関子機のない方向から侵入してきた場合、玄関子機のカメラを作動させても不審者を捉えることができずセキュリティ性が低下する問題があった。
【０００４】
そこで、本発明はこのような問題点に鑑み、センサが人物を検知したとき、部屋の照明装置等を点灯させたりすることで、留守の場合でも在宅しているかのように見せることができるインターホンシステムを提供することを目的とする。
【課題を解決するための手段】
【０００５】
上記課題を解決する為に、請求項１に記載の発明は、来訪者が居住者を呼び出すための玄関子機と、来訪者の呼び出しに応答するための居室親機と、人物を検知して前記居室親機に通知するセンサとを有するインターホンシステムにおいて、居室親機は、電気機器をオン／オフ制御するための制御信号出力手段、及びセンサが人物を検知したら、制御信号出力手段に接続された電気機器のオン／オフ制御を実施するオン／オフ制御手段を有することを特徴とする。
この構成により、不審者等がセンサに近づいたら居室内の電気機器がオン／オフ制御されるので、不在時であっても在宅であるかのように電気機器を動作させることが可能となり、不審者を追い払うのに効果的である。
【０００６】
請求項２の発明は、請求項１に記載の発明において、制御信号出力手段に接続された電気機器が複数の照明装置を含み、居室親機は、センサが人物を検知したら予め選択した照明装置を点灯制御するためのメモリを備えたことを特徴とする。 
この構成により、不審者等が近づいたら居室内の電灯が点灯するので、不審者を追い払うのに効果的である。
【０００７】
請求項３の発明は、請求項１に記載の発明において、制御信号出力手段に接続された電気機器が複数の照明装置を含み、居室親機は、センサが人物を検知したら予め選択した照明装置を所定時間間隔で順次点灯制御するためのメモリを備えたことを特徴とする。
この構成により、不審者に対してあたかも居住者が居室間を移動しているように見せることができ、不審者を追い払うのに効果的である。
【０００８】
請求項４の発明は、請求項１乃至３の何れかに記載の発明において、制御信号出力手段に接続された電気機器が電気錠付ドアを含み、オン／オフ制御手段は、センサが人物を検知したら電気錠の施錠制御を行うことを特徴とする。
この構成により、不審者が現れた時に確実に施錠状態となるので、防犯に効果的である。
【０００９】
請求項５の発明は、請求項１乃至４の何れかに記載の発明において、制御信号出力手段に接続された電気機器が防犯センサを含み、オン／オフ制御手段は、センサが人物を検知したら防犯センサを監視状態とする制御を行うことを特徴とする。
この構成により、不審者が現れたら防犯センサが監視状態となるので、窓等の防犯センサ設置場所から侵入された場合に、確実に警報動作させることができる。
【００１０】
請求項６の発明は、請求項１乃至５の何れかに記載の発明において、オン／オフ制御手段による電気機器のオン／オフ制御は、居室親機が警戒状態に動作設定されたときに実施するものであって、警戒状態は、居室親機の操作により設定されるか、予め設定された時間帯において自動設定されることを特徴とする。
この構成により、居住者が外出する際の設定操作が警戒設定するだけでよく、１回の設定操作で、電気機器の制御設定を含めて実施できる。
【００１１】
請求項７の発明は、請求項１乃至６の何れかに記載の発明において、オン／オフ制御手段は、センサカメラが人物を検知したことにより電気機器をオン制御したら、所定時間経過後にオフ状態に戻す制御を行うことを特徴とする。
この構成により、オンし続けることが無いので、使用電力量が大きく増加するようなことがない。
【発明の効果】
【００１２】
本発明によれば、不審者等がセンサに近づいたら居室内の照明装置等の電気機器がオン／オフ制御されるので、不在時であっても在宅であるかのように電気機器を動作させることが可能となり、不審者を追い払うのに効果的である。
【発明を実施するための最良の形態】
【００１３】
以下、本発明を具体化した実施の形態を、図面に基づいて詳細に説明する。図１は本発明に係るインターホンシステムの実施形態の一例を示す構成図であり、１は来訪者が居住者を呼び出すための玄関子機、２は来訪者の呼び出しに応答するための居室親機、３は裏口等に設置され人感センサを内蔵して人物を検知したら撮像を開始するセンサカメラ、４は居室親機２からの制御信号を受けて居室内の照明等の電気機器をオン／オフ操作するホームコントローラ、５は照明装置、６はテレビ受像機、７は居室親機２からの制御信号を受けて電気錠を施錠／解錠操作する電気錠コントローラ、８は電気錠８ａ付のドア、９は窓や扉に設置された防犯センサを示している。このように、居室親機２は玄関子機１に加えて、センサカメラ３、ホームコントローラ４、電気錠コントローラ７、防犯センサ９が接続されている。
【００１４】
そして、玄関子機１は来訪者を撮像するカメラ１ａ及び人物を検知するセンサ（図示せず）を備え、センサカメラ３と同様に、人物を検知したらカメラ１ａが撮像を開始するように構成されている。また、居室親機２は玄関子機１のカメラ１ａ及びセンサカメラ３が撮像した映像を出画するモニタ１１を備えている。
【００１５】
居室親機２は、図２の回路ブロック図に示すように構成されている。図２において１２は居室親機２を制御すると共にオン／オフ制御手段としての親機ＣＰＵ、１３はマイク及びスピーカを備えた通話部、１４は照明等の点灯順や点灯時間を記憶するメモリ、１５は警戒設定操作や解錠操作を行う操作部でモニタ画面上に設置されたタッチパネルで構成されている。また、１６は玄関子機を接続する玄関子機インターフェイス（以下、玄関子機ＩＦとする）、１７はセンサカメラを接続するセンサカメラインターフェイス（以下、センサカメラＩＦとする）、１８はホームコントローラを接続するためのホームコントローラインターフェイス（以下、ホームコントローラＩＦとする）、１９は電気錠コントローラを接続するための電気錠コントローラインターフェイス（以下、電気錠コントローラＩＦとする）、２０は防犯センサを接続するための制御信号出力手段としての防犯センサインターフェイス（以下、防犯センサＩＦとする）である。
【００１６】
このように構成されたインターホンシステムにおいて、以下、動作を説明する。但し、玄関子機１から呼び出しが成されたら居室親機２にて呼出音を報音し、玄関先の映像を確認して来訪者と居住者との間で通話を行う動作、また、場合によっては電気錠８ａを解錠させることは従来のインターホンシステムと同様であるし、この発明の要部ではないので説明を省略し、不審者が現れた場合の動作を中心に説明する。
【００１７】
まず、不審者等の人物が玄関子機１或いはセンサカメラ３設置場所に近づいて何れかのセンサが検知動作したら、検知信号が玄関子機ＩＦ１６、或いはセンサカメラＩＦ１７を介して親機ＣＰＵ１２で受信される。親機ＣＰＵ１２は、センサの検知動作を受けて防犯センサ９を起動するための防犯センサ制御信号を防犯センサＩＦ２０から出力し、防犯センサ９を監視状態にする。同時に、電気錠を施錠させる電気錠制御信号を電気錠コントローラＩＦ１９から出力し、電気錠コントローラ７の制御で電気錠８ａが施錠動作する。
【００１８】
また、親機ＣＰＵ１２は、作動したセンサに関連した玄関子機１のカメラ１ａ或いはセンサカメラ３を起動して撮像を開始し、撮像して伝送されてきた映像をモニタ１１で出画させる。更に、通話部１３から警報音を報音する。尚、モニタ１１での出画映像はメモリ１４に自動録画させると良い。
そして、防犯センサ９が監視状態になると、親機ＣＰＵ１２は防犯センサＩＦ２０を介して防犯センサの作動信号を受信し、防犯センサ９が作動したら、居室親機２は警報を発する。
【００１９】
このように、電気錠コントローラＩＦ１９は電気錠制御信号を出力する制御信号出力手段として作用し、防犯センサＩＦ２０は防犯センサを監視状態にする制御信号出力手段として作用し、不審者が現れたら施錠動作するので、施錠し忘れていても安心できるし、防犯に有効である。また、同時に防犯センサを監視状態にするので、窓等の防犯センサ設置場所から侵入された場合に、確実に警報を動作させることができる。
【００２０】
次に警戒状態に設定された場合の動作を説明する。警戒状態は、居室親機２の操作で設定され、この設定を受けて親機ＣＰＵ１２は各防犯センサ９を監視状態とし、電気錠８ａを施錠制御する。
この状態で、玄関子機１或いはセンサカメラ３のセンサが人物を検知したら、親機ＣＰＵ１２は、照明装置５やテレビ受像機６等の家電機器を点灯或いは起動させる電気機器制御信号をホームコントローラＩＦ１８から出力し、ホームコントローラ４は、この信号を受けて照明装置５及びテレビ受像機６を制御する。この制御は、居室親機２のメモリ１４に予め記憶されたデータに基づき接続されている複数の照明装置５のうち特定の幾つかの照明装置を所定間隔で順次点灯させる制御を行う。そして、所定時間が経過したら消灯制御する。また、テレビ受像機６は、設置した居室の照明装置５の点灯／消灯に合わせてオン／オフ操作を行う。
尚、オン／オフ制御可能な照明装置５のうち、所定間隔で点灯制御する照明装置５は予め選択されてメモリ１４に記憶される。親機ＣＰＵ１２は、この記憶データに基づいて点灯／消灯制御を実施する。
【００２１】
更に警戒状態では、センサの検知動作を受けて、親機ＣＰＵ１２は、作動したセンサに関連した玄関子機１のカメラ１ａ或いはセンサカメラ３を起動して撮像を開始させる。そして、居室親機２に伝送されてきた映像をモニタ１１で出画させると同時に、メモリ１４に録画させる。
【００２２】
このように、ホームコントローラＩＦ１８は照明等の制御信号を出力する制御信号出力手段として作用し、不審者等が玄関子機やセンサカメラに近づいたら居室内の照明装置等の電気機器がオン／オフ制御されるので、不在時であっても在宅であるかのように動作させることが可能となり、不審者を追い払うのに有効である。
また、照明装置を順次点灯させることで、不審者に対してあたかも居住者が居室間を移動しているように見せることができ、不審者を追い払うのに効果的であるし、点灯させた電気機器のオフ操作も行うので、使用電力量が大きく増加するようなことがない。
更に、警戒設定に電気機器の制御を連動させることで、居住者が外出する際の設定操作が警戒設定するだけでよく、１回の設定操作で電気機器の制御を含めて実施できる。
【００２３】
尚、上記実施形態では、電気機器を操作するホームコントローラ４、電気錠８ａの施錠／解錠を操作する電気錠コントローラ７を居室親機２とは別体としているが、居室親機２に内蔵させて、電気機器や電気錠を居室親機に直接接続可能としても良い。
また、居室親機２により制御可能な照明装置５のうち、幾つかの照明装置５を順次点灯制御させているが、制御可能な全ての照明装置５を順次点灯する制御を実施してもよいし、１つの照明装置５を点灯制御するだけでも良い。また、照明装置５の制御は、警戒設定時に限定せず、センサが人物を検知したら自動的に点灯制御しても良い。
【図面の簡単な説明】
【００２４】
【図１】本発明に係るインターホンシステムの実施形態の一例を示す構成図である。
【図２】図１の居室親機の回路ブロック図である。
【符号の説明】
【００２５】
１・・玄関子機、１ａ・・カメラ、２・・居室親機、３・・センサカメラ、４・・ホームコントローラ、５・・照明装置（電気機器）、７・・電気錠コントローラ、８ａ・・電気錠（電気機器）、９・・防犯センサ、１２・・親機ＣＰＵ（オン／オフ制御手段）、１４・・メモリ、１８・・ホームコントローラインターフェイス（制御信号出力手段）、１９・・電気錠インターフェイス（制御信号出力手段）、２０・・防犯センサインターフェイス（制御信号出力手段）。
【図１】
2006238096.tif 000003
【図２】
2006238096.tif 000004